(57)【特許請求の範囲】
【請求項１】
モータを有する装置本体と、
前記装置本体に着脱自在に取り付けられ、カッターを回転可能に支持するカッター台と、
前記カッターが内部に位置するように前記カッター台に着脱自在に取り付けられ、調理物収納用の空間を形成する容器部材と、
を備え、
前記装置本体に前記カッター台を取り付けたとき、前記モータの出力軸が前記カッターの回転軸に連結されて前記カッターが回転可能となる回転調理装置であって、
前記カッター台に上下動可能に設けられた上下動部材と、
少なくとも一部が前記上下動部材の移動経路内の前進位置と前記上下動部材の移動経路外の後退位置との間を進退移動可能に設けられたストッパーと、
をさらに備え、
前記装置本体に取り付けた前記カッター台に前記容器部材が取り付けられているとき、前記ストッパーの前記一部が前記後退位置に位置すると共に、前記上下動部材が前記モータを駆動可能にする下降位置に位置し、
前記装置本体に取り付けた前記カッター台に前記容器部材が取り付けられていないとき、前記上下動部材が前記モータを駆動不可能にする上昇位置に位置すると共に、前記ストッパーの前記一部が前記前進位置に位置して前記上下動部材の前記下降位置への移動を阻止する、回転調理装置。
【請求項２】
前記ストッパーは、弾性部を有し、前記弾性部の非弾性変形時は前記前進位置に位置するように設けられている、請求項１に記載の回転調理装置。
【請求項３】
前記カッター台は、回し動作を含む操作により前記装置本体に着脱自在に取り付けられ、
前記回し動作に連動して前記上下動部材が前記上昇位置へ移動し、当該上下動部材の移動に連動して前記弾性部が弾性変形し、前記ストッパーが前記前進位置から前記後退位置に移動する、請求項２に記載の回転調理装置。
【請求項４】
前記カッター台は、前記回し動作とは逆方向の回し動作を含む操作により前記装置本体から取り外され、
前記逆方向の回し動作に連動して前記上下動部材が前記下降位置へ移動し、当該上下動部材の移動に連動して前記弾性部が弾性復帰し、前記ストッパーが前記後退位置から前記前進位置に移動する、請求項３に記載の回転調理装置。
【請求項５】
前記カッター台は、前記装置本体にバヨネット結合により着脱自在に取り付けられる、請求項３又は４に記載の回転調理装置。
【請求項６】
前記カッター台は、前記カッター台の筒状の側壁に沿って周方向に間欠的に設けられ、前記容器部材を螺着可能な上下複数段の螺条部を有し、
前記上下動部材は、上方に突出するように設けられ、前記カッター台の前記螺条部に連なることが可能な上下複数段の螺条部を有するレバーを有し、
前記カッター台に前記容器部材を螺着するとき、前記容器部材が前記レバーに当接して前記上下動部材を下降させる、請求項１又は２に記載の回転調理装置。
【請求項７】
前記上下動部材が前記上昇位置に位置するとき、前記カッター台の前記螺上部の頂部と前記レバーの前記螺条部の頂部とが同じ高さ位置に位置する、請求項６に記載の回転調理装置。
【請求項８】
前記ストッパーは、一部に屈曲部を有する板ばねを有している、請求項２に記載の回転調理装置。
【請求項９】
前記装置本体は、前記上下動部材を受け入れ可能な受け部を有し、
前記受け部と前記ストッパーとは、合成樹脂により一体成形されている、請求項２に記載の回転調理装置。
【請求項１０】
前記装置本体は、前記上下動部材を受け入れ可能な受け部を有し、
前記ストッパーは、前記受け部の側壁を移動可能に貫通するピンを有し、前記弾性部の非弾性変形時は前記ピンの一端部が前記前進位置に位置するように設けられている、請求項２に記載の回転調理装置。
【請求項１１】
前記ストッパーは、中間部を中心軸として回転可能に設けられたレバーを有し、前記弾性部の非弾性変形時は前記レバーの一端部が前記前進位置に位置し、前記弾性部の弾性変形時は前記レバーの他端部が前記前進位置に位置するように設けられている、請求項２に記載の回転調理装置。
【請求項１２】
少なくとも前記モータの駆動開始又は駆動停止を示す情報を入力可能な操作部と、
前記モータの駆動停止を示す情報が前記操作部に入力されたとき、前記カッター台の着脱を許容する一方、前記モータの駆動開始を示す情報が前記操作部に入力されたとき、前記カッター台の着脱を阻止するカッター台着脱阻止部と、
を有する、請求項１又は２に記載の回転調理装置。
【請求項１３】
前記操作部は、ロータリースイッチであり、
前記カッター台着脱阻止部は、前記ロータリースイッチの回転動作に機械的に連動して、前記カッター台の着脱を許容する着脱許容位置と前記カッター台の着脱を阻止する着脱阻止位置との間を移動する、請求項１２に記載の回転調理装置。
【請求項１４】
前記カッター台は、回し動作を含む操作により前記装置本体に着脱自在に取り付けられ、
前記カッター台着脱阻止部は、前記ロータリースイッチの回転動作に機械的に連動して、前記カッター台の移動経路内に前進して前記カッター台の前記回し動作を阻止する前記着脱阻止位置と、前記カッター台の移動経路外に後退して前記カッター台の前記回し動作を許容する前記着脱許容位置との間を移動する、請求項１３に記載の回転調理装置。
【請求項１５】
前記カッター台着脱阻止部は、
前記ロータリースイッチの回転軸の周囲に固定され、外周部の一部に凹部が設けられた略円形のカムと、
前記カムの前記外周部に当接するように設けられ、前記ロータリースイッチの回転動作によって前記カムが回転することにより、第１軸方向に移動する第１ロッドと、
前記第１ロッドに当接するように設けられ、前記第１軸方向への前記第１ロッドの移動に連動して第２軸方向に移動することにより、前記着脱阻止位置と前記着脱許容位置との間を進退移動する第２ロッドと、
を有する、請求項１４に記載の回転調理装置。
【発明の詳細な説明】
【技術分野】
【０００１】
本発明は、例えば、ミキサー（ブレンダーともいう）若しくはミルなどの、カッター台と調理物収納用の容器部材とを分離可能な回転調理装置に関するものである。
【背景技術】
【０００２】
従来、この種の回転調理装置としては、例えば、以下に説明するような装置がある（例えば、特開２００４−２５４７９８号公報参照）。【０００３】
従来の回転調理装置は、装置本体と、当該装置本体に着脱自在に取り付けられ、カッターを回転可能に支持するカッター台と、カッターが内部に位置するように前記カッター台に着脱自在に取り付けられ、調理物収納用の空間を形成する容器部材と、を備えている。【０００４】
装置本体には、カッターを回転駆動するモータと、当該モータの駆動状態を切り換える安全スイッチとが内蔵されている。装置本体にカッター台が取り付けられたとき、モータの出力軸にカッターの回転軸が連結され、カッターがモータの駆動により回転可能になる。【０００５】
カッター台には、容器部材の着脱動作に応動（連動）して上下動する上下動部材が設けられている。カッター台に容器部材が取り付けられていない状態では、上下動部材は、バネなどの弾性部材に付勢されて上昇位置に位置する。一方、カッター台に容器部材が取り付けられた状態では、上下動部材は、弾性部材の付勢力に抗して下降し、下降位置に位置する。【０００６】
容器部材を取り付けたカッター台を装置本体に取り付けたとき、下降位置に位置する上下動部材により安全スイッチがＯＮになる。これにより、モータが駆動してカッターが回転し、ミキシングなどの調理を行うことができる。【０００７】
前記状態から容器部材を取り外した場合には、上下動部材が弾性部材の弾性力により上昇位置に上昇することにより、安全スイッチがＯＦＦになる。これにより、容器部材を取り外したことにより外部に露出したカッターの回転が防止され、前記露出したカッターの不用意な回転による怪我などの発生を抑えることができる。
【先行技術文献】
【特許文献】
【０００８】
【特許文献１】特開２００４−２５４７９８号公報
【発明の概要】
【発明が解決しようとする課題】
【０００９】
しかしながら、前記従来の回転調理装置においては、前記容器部材を取り外した状態において、子供のいたずらや開梱時の不用意な組み付けなどの意図しない動作によって上下動部材が下降位置に押し下げられることがあり得る。この場合、外部に露出したカッターが不用意に回転しまうことになる。従って、従来の回転調理装置では、安全性が十分ではない。【００１０】
従って、本発明の目的は、前記問題を解決することにあって、より一層安全性を高めた回転調理装置を提供することにある。
【課題を解決するための手段】
【００１１】
前記目的を達成するために、本発明は以下のように構成する。
本発明の第１態様によれば、モータを有する装置本体と、
前記装置本体に着脱自在に取り付けられ、カッターを回転可能に支持するカッター台と、
前記カッターが内部に位置するように前記カッター台に着脱自在に取り付けられ、調理物収納用の空間を形成する容器部材と、
を備え、
前記装置本体に前記カッター台を取り付けたとき、前記モータの出力軸が前記カッターの回転軸に連結されて前記カッターが回転可能となる回転調理装置であって、
前記カッター台に上下動可能に設けられた上下動部材と、
少なくとも一部が前記上下動部材の移動経路内の前進位置と前記上下動部材の移動経路外の後退位置との間を進退移動可能に設けられたストッパーと、
をさらに備え、
前記装置本体に取り付けた前記カッター台に前記容器部材が取り付けられているとき、前記ストッパーの前記一部が前記後退位置に位置すると共に、前記上下動部材が前記モータを駆動可能にする下降位置に位置し、
前記装置本体に取り付けた前記カッター台に前記容器部材が取り付けられていないとき、前記上下動部材が前記モータを駆動不可能にする上昇位置に位置すると共に、前記ストッパーの前記一部が前記前進位置に位置して前記上下動部材の前記下降位置への移動を阻止する、回転調理装置を提供する。【００１２】
本発明の第２態様によれば、前記ストッパーは、弾性部を有し、前記弾性部の非弾性変形時は前記前進位置に位置するように設けられている、第１態様に記載の回転調理装置を提供する。【００１３】
本発明の第３態様によれば、前記カッター台は、回し動作を含む操作により前記装置本体に着脱自在に取り付けられ、
前記回し動作に連動して前記上下動部材が前記上昇位置へ移動し、当該上下動部材の移動に連動して前記弾性部が弾性変形し、前記ストッパーが前記前進位置から前記後退位置に移動する、第２態様に記載の回転調理装置を提供する。【００１４】
本発明の第４態様によれば、前記カッター台は、前記回し動作とは逆方向の回し動作を含む操作により前記装置本体から取り外され、
前記逆方向の回し動作に連動して前記上下動部材が前記下降位置へ移動し、当該上下動部材の移動に連動して前記弾性部が弾性復帰し、前記ストッパーが前記後退位置から前記前進位置に移動する、第３態様に記載の回転調理装置を提供する。【００１５】
本発明の第５態様によれば、前記カッター台は、前記装置本体にバヨネット結合により着脱自在に取り付けられる、第３又は４態様に記載の回転調理装置を提供する。【００１６】
本発明の第６態様によれば、前記カッター台は、前記カッター台の筒状の側壁に沿って周方向に間欠的に設けられ、前記容器部材を螺着可能な上下複数段の螺条部を有し、
前記上下動部材は、上方に突出するように設けられ、前記カッター台の前記螺条部に連なることが可能な上下複数段の螺条部を有するレバーを有し、
前記カッター台に前記容器部材を螺着するとき、前記容器部材が前記レバーに当接して前記上下動部材を下降させる、第１〜５態様のいずれか１つに記載の回転調理装置を提供する。【００１７】
本発明の第７態様によれば、前記上下動部材が前記上昇位置に位置するとき、前記カッター台の前記螺上部の頂部と前記レバーの前記螺条部の頂部とが同じ高さ位置に位置する、第６態様に記載の回転調理装置を提供する。【００１８】
本発明の第８態様によれば、前記ストッパーは、一部に屈曲部を有する板ばねを有している、第２態様に記載の回転調理装置を提供する。【００１９】
本発明の第９態様によれば、前記装置本体は、前記上下動部材を受け入れ可能な受け部を有し、
前記受け部と前記ストッパーとは、合成樹脂により一体成形されている、第２態様に記載の回転調理装置を提供する。【００２０】
本発明の第１０態様によれば、前記装置本体は、前記上下動部材を受け入れ可能な受け部を有し、
前記ストッパーは、前記受け部の側壁を移動可能に貫通するピンを有し、前記弾性部の非弾性変形時は前記ピンの一端部が前記前進位置に位置するように設けられている、第２態様に記載の回転調理装置を提供する。【００２１】
本発明の第１１態様によれば、前記ストッパーは、中間部を中心軸として回転可能に設けられたレバーを有し、前記弾性部の非弾性変形時は前記レバーの一端部が前記前進位置に位置し、前記弾性部の弾性変形時は前記レバーの他端部が前記前進位置に位置するように設けられている、第２態様に記載の回転調理装置を提供する。【００２２】
本発明の第１２態様によれば、少なくとも前記モータの駆動開始又は駆動停止を示す情報を入力可能な操作部と、
前記モータの駆動停止を示す情報が前記操作部に入力されたとき、前記カッター台の着脱を許容する一方、前記モータの駆動開始を示す情報が前記操作部に入力されたとき、前記カッター台の着脱を阻止するカッター台着脱阻止部と、
を有する、第１又は２態様に記載の回転調理装置を提供する。【００２３】
本発明の第１３態様によれば、前記操作部は、ロータリースイッチであり、
前記カッター台着脱阻止部は、前記ロータリースイッチの回転動作に機械的に連動して、前記カッター台の着脱を許容する着脱許容位置と前記カッター台の着脱を阻止する着脱阻止位置との間を移動する、第１２態様に記載の回転調理装置を提供する。【００２４】
本発明の第１４態様によれば、前記カッター台は、回し動作を含む操作により前記装置本体に着脱自在に取り付けられ、
前記カッター台着脱阻止部は、前記ロータリースイッチの回転動作に機械的に連動して、前記カッター台の移動経路内に前進して前記カッター台の前記回し動作を阻止する前記着脱阻止位置と、前記カッター台の移動経路外に後退して前記カッター台の前記回し動作を許容する前記着脱許容位置との間を移動する、第１３態様に記載の回転調理装置を提供する。【００２５】
本発明の第１５態様によれば、前記カッター台着脱阻止部は、
前記ロータリースイッチの回転軸の周囲に固定され、外周部の一部に凹部が設けられた略円形のカムと、
前記カムの前記外周部に当接するように設けられ、前記ロータリースイッチの回転動作によって前記カムが回転することにより、第１軸方向に移動する第１ロッドと、
前記第１ロッドに当接するように設けられ、前記第１軸方向への前記第１ロッドの移動に連動して第２軸方向に移動することにより、前記着脱阻止位置と前記着脱許容位置との間を進退移動する第２ロッドと、
を有する、第１４態様に記載の回転調理装置を提供する。
【発明の効果】
【００２６】
本発明の回転調理装置によれば、装置本体に取り付けたカッター台に容器部材が取り付けられていないとき（すなわち、カッターが外部に露出しているとき）、上下動部材がモータを駆動不可能にする上昇位置に位置すると共に、ストッパーの一部が前進位置に位置して上下動部材の下降位置への移動を阻止するように構成されている。これにより、意図しない動作によって上下動部材が下方に押圧されても、ストッパーの一部が当該上下動部材の下降位置への移動を阻止するので、外部に露出したカッターが不用意に回転してしまうことを防止することができる。これにより、より高い安全性を確保することができる。
【図面の簡単な説明】
【００２７】
本発明のこれらと他の目的と特徴は、添付された図面についての好ましい実施の形態に関連した次の記述から明らかになる。この図面においては、
【図１】図１は、本発明の第１実施形態にかかる回転調理装置の全体構成を示す概念図であり、
【図２】図２は、図１の回転調理装置の一部拡大図であり、
【図３】図３は、図１の回転調理装置が備えるカッター台を上方から見た斜視図であり、
【図４】図４は、図１の回転調理装置が備えるカッター台を下方から見た斜視図であり、
【図５】図５は、図１の回転調理装置が備える装置本体の上部を上方から見た斜視図であり、
【図６】図６は、図１の回転調理装置が備えるストッパーの取り付け状態を示す断面図である
【図７Ａ】図７Ａは、容器部材を螺着したカッター台を装置本体に取り付けた後における、上下動部材と上下動ピンとストッパーとの位置関係を示す展開図であり、
【図７Ｂ】図７Ｂは、図７ＡのＡ１付近の縦断面図であり、
【図７Ｃ】図７Ｃは、図７ＡのＡ１付近の横断面図であり、
【図８Ａ】図８Ａは、容器部材を螺着したカッター台を装置本体に取り付ける途中の各部材の状態を模式的に示す一部切欠き側面図であり、
【図８Ｂ】図８Ｂは、図８ＡのＢ１−Ｂ１線断面図であり、
【図９Ａ】図９Ａは、容器部材を螺着したカッター台を装置本体に取り付けた後の各部材の状態を模式的に示す一部切欠き側面図であり、
【図９Ｂ】図９Ｂは、図９ＡのＢ２−Ｂ２線断面図であり、
【図１０Ａ】図１０Ａは、装置本体に取り付けたカッター台から容器部材を取り外したときの各部材の状態を模式的に示す一部切欠き側面図であり、
【図１０Ｂ】図１０Ｂは、図１０ＡのＢ３−Ｂ３線断面図であり、
【図１１Ａ】図１１Ａは、装置本体に取り付けたカッター台から容器部材を取り外す前及び取り外した後における、上下動部材と上下動ピンとストッパーとの位置関係を模式的に示す側面図であり、
【図１１Ｂ】図１１Ｂは、図１１ＡのＡ２付近の横断面図であり、
【図１２Ａ】図１２Ａは、上下動部材のレバーが有する螺条部の頂部がカッター台の互いに隣接する螺条部の中間に位置している状態を示す説明図であり、
【図１２Ｂ】図１２Ｂは、図１２Ａに示す状態のカッター台に容器部材を螺着したときにおいて、上下動部材のレバーの下端部がストッパーに当接した状態を示す説明図であり、
【図１２Ｃ】図１２Ｃは、上下動部材のレバーの下端部に押されてストッパーが破壊した状態を示す説明図であり、
【図１３Ａ】図１３Ａは、上下動部材のレバーが有する螺条部の頂部がカッター台の螺条部の頂部に位置している状態を示す説明図であり、
【図１３Ｂ】図１３Ｂは、図１３Ａに示す状態のカッター台に容器部材を螺着したときにおいて、上下動部材のレバーの下端部がストッパーに当接した状態を示す説明図であり、
【図１４Ａ】図１４Ａは、上下動部材のレバーが有する螺条部の頂部がカッター台の螺条部の頂部に位置している状態を示す説明図であり、
【図１４Ｂ】図１４Ｂは、図１４Ａに示す状態のカッター台に容器部材を螺着したときにおいて、上下動部材のレバーの下端部がストッパーに当接した状態を示す説明図であり、
【図１５】図１５は、ストッパーの第１変形例を示す横断面図であり、
【図１６】図１６は、ストッパーの第２変形例を示す横断面図であり、
【図１７】図１７は、ストッパーの第３変形例を示す横断面図であり、
【図１８Ａ】図１８Ａは、ロータリースイッチがＯＮの状態における、本発明の第２実施形態にかかる回転調理装置の全体構成を示す概念図であり
【図１８Ｂ】図１８Ｂは、図１８Ａの回転調理装置におけるカムと第１ロッドの位置関係を示す平面図であり、
【図１９Ａ】図１９Ａは、ロータリースイッチがＯＦＦの状態における、本発明の第２実施形態にかかる回転調理装置の全体構成を示す概念図であり、
【図１９Ｂ】図１９Ｂは、図１９Ａの回転調理装置におけるカムと第１ロッドの位置関係を示す平面図である。
【発明を実施するための形態】
【００２８】
本発明の記述を続ける前に、添付図面において同じ部品については同じ参照符号を付している。
以下、本発明の実施形態を、図面を参照して説明する。
【００２９】
《第１実施形態》
図１〜図６を用いて、本発明の第１実施形態にかかる回転調理装置の全体構成を説明する。図１は、本発明の第１実施形態にかかる回転調理装置の全体構成を示す概念図であり、図２は、その一部拡大図である。図３は、図１の回転調理装置が備えるカッター台を上方から見た斜視図であり、図４は、図１の回転調理装置が備えるカッター台を下方から見た斜視図である。図５は、図１の回転調理装置が備える装置本体の上部を上方から見た斜視図である。図６は、図１の回転調理装置が備えるストッパーの取り付け状態を示す断面図である。なお、ここでは、一例として、回転調理装置がブレンダーである場合について説明する。
【００３０】
本第１実施形態にかかる回転調理装置は、装置本体１と、当該装置本体１に着脱自在に取り付けられ、カッター１５を回転可能に支持するカッター台１０と、カッター１５が内部に位置するようにカッター台１０に着脱自在に取り付けられ、調理物収納用の空間を形成する容器部材１９と、を備えている。
【００３１】
装置本体１には、調理物を粉砕するカッター１５を回転駆動するモータ２と、当該モータ２の駆動状態（駆動可能状態及び駆動不可能状態）を切り換える安全スイッチ６とが内蔵されている。モータ２の出力軸３は、装置本体１の筐体の上壁に設けられた貫通穴１ａを通じて上方へ突出しており、当該突出部分に、駆動側コネクタ４が固定されている。安全スイッチ６は、モータ２の電源回路に接続された常開タイプのスイッチである。安全スイッチ６は、装置本体１に上下動可能に保持されたレバー状の応動体である上下動ピン７によって押圧されることにより、ＯＮになる。
【００３２】
上下動ピン７は、弾性部材の一例であるスプリング８により上方へ（安全スイッチ６から離れる側へ）付勢されている。従って、安全スイッチ６は、通常、ＯＦＦになっている。
【００３３】
装置本体１の前部には、モータ２の駆動開始又は駆動停止、若しくはカッター１５の回転速度の切り換えなどのユーザの指示を入力可能な操作部５が配置されている。装置本体１の上部には、図５に示すように、カッター台１０を取り付ける（嵌合支持する）ための３つの受け部９が設けられている。３つの受け部９は、モータ２の出力軸３が貫通する貫通穴１ａの中心を中心とした円周上に等間隔（約１２０度の間隔）で配置されている。なお、受け部９を３つ配置した理由は、カッター台１０の支持（いわゆる３点支持）が最も安定するためである。
【００３４】
各受け部９には、それぞれ、断面Ｕ字状の溝１１が形成されている。３つの受け部９のうちの１つの受け部９には、貫通穴９ａが設けられている。上下動ピン７は、当該貫通穴９ａを通じて上下動する。
【００３５】
また、３つの受け部９のうちの１つの受け部９には、ストッパー１２が設けられている。ストッパー１２は、溝１１の内側の前進位置と溝１１の外側の後退位置との間で進退移動することができるように設けられている。具体的には、ストッパー１２は、図６に示すように、一端部が溝１１の内側の側壁１１ａの外面に固定され、他端部が自由端とされた板バネで構成されている。ストッパー１２は、非弾性変形時において、溝１１の内側の側壁１１ａに形成された貫通穴１１ｂを通過して溝１１内に位置するように湾曲する湾曲部１２ａを有している。ここでは、図６の実線で示すストッパー１２の位置を前進位置という。ストッパー１２は、湾曲部１２ａが溝１１の外側に押されることにより、図６の点線で示す溝１１の外側の後退位置に弾性変形可能に構成されている。
【００３６】
各受け部９の外側の側壁１１ａの外面には、図５に示すように、バヨネット機構の一方の機能を発揮する凸部１１ｃが設けられている。
【００３７】
カッター台１０は、カッター１５の回転軸（従動軸）１３を回転可能に保持する保持部である隔壁２４と、隔壁２４の周囲に配置された円筒状部とを備えている。ここでは、図３に示すように、隔壁２４より下方に位置する円筒状部を下方円筒状部１６といい、隔壁２４より上方に位置する円筒状部と上方円筒状部１８という。
【００３８】
カッター１５の回転軸１３の下端部には、駆動側コネクタ４と連結可能な従動側コネクタ１４が固定されている。装置本体１にカッター台１０が取り付けられたとき、モータ２の出力軸３にカッター１５の回転軸１３が駆動側コネクタ４及び従動側コネクタ１４を介して連結され、カッター１５がモータ２の駆動により回転可能になる。
【００３９】
カッター台１０の下方円筒状部１６の内周面には、図４に示すように、バヨネット機構の他方の機能を発揮する略Ｌ字状の６つの案内溝１７が等間隔（約６０度の間隔）で形成されている。装置本体１へのカッター台１０の取り付けは、案内溝１７のうちの３つの案内溝１７内に凸部１１ｃを挿入した後、カッター台１０を周方向に所定の角度回して凸部１１ｃを案内溝１７に沿って移動させる、すなわちバヨネット結合させることで行うことができる。なお、案内溝１７を凸部１１ｃの２倍の個数（６つ）設けた理由は、カッター台１０の取り付けの方向性をできる限り少なくして、取り付け作業の効率化を図るためである。また、パッキン２２が劣化してきた場合、把手３０の位置が変わってくるため、容器部材１９の把手３０を左右手前など使用者が使いやすい位置に配置できるようにするためである。
【００４０】
カッター台１０の上方円筒状部１８の内周面には、略円筒形状の容器部材１９を着脱自在に取り付けるための螺条部２０が間欠的に形成されている。また、容器部材１９の下方の外周面にも螺条部２０と対応する螺条部２１が形成されている。図２に示すように、カッター台１０と容器部材１９との間にパッキング２２を配置した状態で、螺条部２０と螺条部２１とを螺合することによって、カッター台１０と容器部材１９との結合部の液密状態が保たれると共に、容器部材１９の内部にカッター１５が位置することになる。
【００４１】
また、カッター台１０の下方円筒状部１６の内周部には、図４に示すように、略円筒状の上下動部材（安全応動体ともいう）２３が上下動可能に設けられている。上下動部材２３は、上下動ピン７の上端部と対向する方向に配置されている。また、カッター台１０の隔壁２４には、図４に示すように、下方へ突出するガイドピン２５が等間隔（約１２０度の間隔）で３本設けられている。これらのガイドピン２５は、上下動部材２３に上下方向に貫通するように設けられた貫通穴２３ａを貫通している。上下動部材２３は、これらの３本のガイドピン２５によって、上下方向の移動が案内され、かつ、周方向には移動しないように構成されている。
【００４２】
また、上下動部材２３は、図１及び図２に示すように、隔壁２４との間に介在させた弾性部材の一例であるスプリング２３ａにより下方に付勢されている。すなわち、カッター台１０を容器部材１９に取り付ける際、カッター台１０をどのように傾けても、カッター１０に対して一定位置に位置するように上下動部材２３がスプリング２３ａにより付勢されている。なお、スプリング２３ａの弾性力は、スプリング８の弾性力よりも弱く設定されている。
【００４３】
上下動部材２３の下端部には、受け部９の溝１１内に嵌り込むことが可能なカム部２６が等間隔に６箇所形成されている。なお、前述したストッパー１２は、上下動部材２３の移動方向（上下方向）に対して交差方向（横方向）に進退移動するように構成されている。各カム部２６は、図４に示すように、１つの傾斜面２６ａを有する台形状に形成されている。なお、カム部２６を受け部９の２倍の個数（６つ）設けた理由は、カッター台１０の取り付けの方向性をできる限り少なくして、取り付け作業の効率化を図るためである。また、パッキン２２が劣化してきた場合、把手３０の位置が変わってくるため、容器部材１９の把手３０を左右手前など使用者が使いやすい位置に配置できるようにするためである。
【００４４】
上下動部材２３の上部には、円筒状の本体から上方へ突出するレバー２７が設けられている。レバー２７は、図３に示すように、カッター台１０の隔壁２４を貫通して、上方円筒状部１８の螺条部２０の切欠部分を移動可能に形成されている。レバー２７には、螺条部２０と連なるような螺条部２８が設けられている。カッター台１０に容器部材１９を螺着すると、図１及び図２に示すように、容器部材１９の螺条部２０がレバー２７の上端部に当接して、上下動部材２３を下方に突出した状態でロックすることになる。
【００４５】
容器部材１９は、ガラスなどで形成された略円筒状の部材であり、上方開放部に蓋２９を着脱自在に取り付け可能に構成されている。容器部材１９の外周面の一部には、把手３０が取り付けられている。なお、容器部材１９は、この構成に限定されるものではなく、例えば、有天筒状の部材であってもよい。この場合、容器部材への調理物の出し入れは、カッター台１０から外した容器部材の上下を逆にし、下方開放部から行うようにすればよい。また、カッター台１０への容器部材の取り付けは、容器部材とカッター台とを上下逆にした状態で行えばよい。
【００４６】
次に、図１、図２、図４、図５、図７Ａ〜図９Ｂを参照しつつ、容器部材１９を螺着したカッター台１０を装置本体１に取り付けるときの動作について説明する。図７Ａは、容器部材１９を螺着したカッター台１０を装置本体１に取り付けた後における、上下動部材２３と上下動ピン７とストッパー１２との位置関係を示す展開図である。図７Ｂは、図７ＡのＡ１付近の縦断面図であり、図７Ｃは、図７ＡのＡ１付近の横断面図である。図８Ａは、容器部材１９を螺着したカッター台１０を装置本体１に取り付ける途中の各部材の状態を模式的に示す一部切欠き側面図であり、図８Ｂは、図８ＡのＢ１−Ｂ１線断面図である。図９Ａは、容器部材１９を螺着したカッター台１０を装置本体１に取り付けた後の各部材の状態を模式的に示す一部切欠き側面図であり、図９Ｂは、図９ＡのＢ２−Ｂ２線断面図である。
【００４７】
まず、容器部材１９を螺着したカッター台１０（図４参照）の下方円筒状部１６を３つの受け部９（図５参照）の側壁１１ａの外面に嵌合させる。これにより、６つの案内溝１７のうちの３つの案内溝１７内に、いずれかの受け部９の凸部１１ｃを位置させる。このとき、上下動ピン７は、図７Ａの点線で示すように、互いに隣接するカム部２６，２６間に位置し、スプリング８の弾性力により上昇した状態にある。図８Ａは、この状態における各部材の位置関係を示している。このとき、ストッパー１２は、図８Ｂに示すように、前進位置に位置している。
【００４８】
次いで、カッター台１０を周方向（図７Ａでは左方向、図８Ａでは右方向）に所定の角度回して凸部１１ｃを案内溝１７に沿って移動させる。このカッター台１０の周方向への回し動作により、上下動ピン７が、上下動部材２３のカム部２６の傾斜面２６ａに沿って移動する。このとき、容器部材１９の螺条部２１がカッター台１０のレバー２７の上端部に当接しているので、図７Ａ及び図９Ａに示すように、上下動ピン７は、スプリング８（図１又は図２参照）の弾性力に抗して下方へ押し下げられる。これにより、図７Ａの実線で示すように下方に移動した上下動ピン７が、その下端部で安全スイッチ６に当接し、安全スイッチ６がＯＦＦからＯＮに切り換わる。従って、モータ２が駆動可能になる。なお、このときの上下動部材２３の位置を、ここでは下降位置という。この状態で、操作部５にてユーザの調理開始の指示が入力されると、モータ２が駆動してカッター１５が回転し、容器部材１９の内部に収納した調理物が粉砕調理されることになる。
【００４９】
また、カッター台１０の周方向への前記回し動作により、図７Ｂ、図７Ｃ、及び図９Ｂに示すように、ストッパー１２が、上下動部材２３のカム部２６の傾斜面２６ａに押されて後退位置に移動（弾性変形）する。
【００５０】
調理済みの調理物は、前記と逆の回し動作を行うことによって容器部材１９を螺着したカッター台１０を装置本体１から取り外し、蓋２９を開くことで、コップなどに抽出することができる。本第１実施形態においては、カッター台１０と容器部材１９とを分離することができるので、それらの清掃を簡単に行うことができる。また、容器部材１９を螺着したカッター台１０を装置本体１から取り外すことによって、上下動ピン７がスプリング８の弾性力により上昇し、安全スイッチ６がＯＮからＯＦＦに切り換わる。従って、操作部５にてユーザによる運転停止の指示が入力されなくても、モータ２が駆動不可能になり、カッター１５は回転を停止する。
【００５１】
次に、図１０Ａ〜図１１Ｂを参照しつつ、装置本体１に取り付けたカッター台１０から容器部材１９を取り外したときの安全機能について説明する。図１０Ａは、装置本体１に取り付けたカッター台１０から容器部材１９を取り外したときの各部材の状態を模式的に示す一部切欠き側面図であり、図１０Ｂは、図１０ＡのＢ３−Ｂ３線断面図である。図１１Ａは、装置本体１に取り付けたカッター台１０から容器部材１９を取り外す前及び取り外した後における、上下動部材２３と上下動ピン７とストッパー１２との位置関係を模式的に示す側面図である。図１１Ｂは、図１１ＡのＡ２付近の横断面図である。
【００５２】
装置本体１に取り付けたカッター台１０から容器部材１９を取り外した場合、カッター１５が外部に露出した状態になるので、この状態でカッター１５が回転すると危険である。
【００５３】
これに対して、本第１実施形態においては、容器部材１９をカッター台１０から取り外すことにより、上下動部材２３の上方への移動をロックするものがなくなるので、スプリング２３ａよりも強い弾性力を有するスプリング８（図１又は図２参照）により、図１０Ａ及び図１１Ａに示すように、上下動ピン７及び上下動部材２３が上方に押し上げられる。なお、このときの上下動部材２３の位置を、ここでは上昇位置という。これにより、上下動ピン７が安全スイッチ６から離れるので、安全スイッチ６はＯＮからＯＦＦに切り換わる。従って、操作部５にてユーザによる運転停止の指示が入力されなかったとしても、モータ２が駆動不可能になり、カッター１５は回転を停止する。
【００５４】
また、上下動部材２３の上昇により、図１１Ａに示すように、カム部２６がＨだけ上方へ変位する。これにより、後退位置に位置していたストッパー１２が、図１０Ｂ及び図１１Ｂに示すように前進位置に移動し、カム部２６の下方、すなわちカム部２６の下降軌跡内に位置することになる。
【００５５】
従って、子供のいたずらなどの意図しない動作によってレバー２７が下方に押されたとしても、ストッパー１２が上下動部材２３の下降（下降位置への移動）を阻止するので、不用意に安全スイッチ６がＯＮすることがない。よって、本第１実施形態にかかる回転調理装置によれば、外部に露出したカッター１５が不用意に回転することを防ぐことができ、より高い安全性を確保することができる。
【００５６】
なお、前記では、装置本体１に取り付けたカッター台１０から容器部材１９を取り外したときの安全機能について説明したが、装置本体１にカッター台１０のみを取り付けたときの安全機能も同様である。すなわち、装置本体１にカッター台１０のみを取り付けた場合においても、上下動部材２３の上方への移動をロックするものがないので、スプリング８により上下動ピン７及び上下動部材２３が上方に押し上げられる。これにより、ストッパー１２が前進位置に移動し、上下動部材２３の下降を阻止する。従って、不用意に安全スイッチ６がＯＮすることがなく、外部に露出したカッター１５が不用意に回転することを防ぐことができ、より高い安全性を確保することができる。
【００５７】
すなわち、本第１実施形態によれば、カッター１５が外部に露出した状態において不用意にレバー２７が下方に押されたとしても、ストッパー１２により上下動部材２３の下降を阻止して、カッター１５が回転しないようにすることができる。これにより、より高い安全性を確保することができる。
【００５８】
なお、本第１実施形態においては、装置本体１にカッター台１０のみを取り付けたとき、ストッパー１２が前進位置に位置して上下動部材２３の下降を阻止するので、上下動部材２３は上昇位置（図１１Ａの右図参照）でロックされる。このため、装置本体１に取り付けたカッター台１０には、容器部材１９を取り付けることができないようになっている。なお、カッター台１０への容器部材１９の取り付けは、カッター台１０を装置本体１から取り外した後に行うことができる。
【００５９】
なお、上下動部材２３が上昇した状態（図１１Ａの右図参照）において、図１２Ａに示すように、レバー２７の螺条部２８の頂部２８ａがカッター台１０の互いに隣接する螺条部２０，２０の中間に位置している場合には、次のような課題がある。すなわち、前記の場合に、容器部材１９をカッター台１０に取り付けようとすると、容器部材１９の螺条部２１が、レバー２７の螺条部２８の頂部２８ａとカッター台１０の上方円筒状部１８に形成された螺条部２０の頂部２０ａとが連なるように、上下動部材２３を下方に押す。その結果、図１２Ｂに示すように上下動部材２３のカム部２６に当接するストッパー１２に過度な力が加わり、図１２Ｃに示すようにストッパー１２が破壊することが有り得る。
【００６０】
このため、図１３Ａ及び図１３Ｂ、又は図１４Ａ及び図１４Ｂに示すように、レバー２７の螺条部２８の頂部２８ａは、上下動部材２３が上昇した状態において、カッター台１０の螺条部２０の頂部（最上位ともいう）２０ａに連なっていることが好ましい。これにより、カッター台１０の螺条部２０と容器部材１９の螺条部２１とを螺合したときに、ストッパー１２が破壊することを防止することができる。
【００６１】
なお、上下動部材２３をスプリング２３ａにより下方へ付勢した理由は、装置本体１からカッター台１０を取り外した状態、すなわち自由状態において、レバー２７の螺条部２８をカッター台１０の互いに隣接する螺条部２０，２０の中間に位置させないためである。これにより、容器部材１９をカッター台１０に取り付ける際、レバー２７の螺条部２８の上端部が容器部材１９の螺条部２１に当接するようになるので、容器部材１９の螺条部２１により、レバー２８を確実に押し下げることができる。
【００６２】
なお、本発明は前記実施形態に限定されるものではなく、その他種々の態様で実施できる。例えば、前記では、外部に露出したカッター１５が回転しないようにするために、上下動部材２３の上下動に連動して安全スイッチ６をＯＮ／ＯＦＦすることにより、モータ２の駆動状態を切り変えるようにしたが、本発明はこれに限定されない。例えば、上下動部材２３の上下動に連動して装置本体１の操作部５をロック又はロック解除するように構成してもよい。操作部５をロックすることによりモータ２を駆動させないようにすることができるので、結果として外部に露出したカッター１５が回転することを防ぐことができる。
【００６３】
また、前記では、上下動部材２３の上下動に連動して安全スイッチ６のＯＮ／ＯＦＦを切り換えるためにピン上下動ピン７を設けたが、本発明はこれに限定されない。例えば、上下動部材２３が直接、安全スイッチ６のＯＮ／ＯＦＦを切り換えるように構成してもよい。
【００６４】
また、前記では、ストッパー１２を図６に示すような一部に屈曲部を有する板バネで構成したが、本発明はこれに限定されない。
【００６５】
例えば、図１５に示すように、ストッパー１２Ａと受け部９Ａとを合成樹脂によって一体的に成形してもよい。これにより、組み立て性を向上させることができる。
【００６６】
また、図１６に示すように、受け部９の溝１１の側壁１１ａの外面に取り付けられた板バネ３１と、溝１１内に進退移動可能に側壁１１ａを貫通するピン３２とにより、ストッパー１２Ｂを構成してもよい。この場合、ピン３２は、通常、一端部が溝１１内に位置するように（すなわち、前進位置に位置するように）板バネ３１に付勢される。前記構成によれば、ピン３２として剛性の高い部材を用いることができるので、確実なストッパー機能（すなわち、安全機能）を発揮させることができる。
【００６７】
さらに、図１７に示すように、受け部９の溝１１の側壁１１ａの外面に取り付けられた板バネ３３と、中間部を軸として回転可能に取り付けられた略Ｌ字型のレバー３４とにより、ストッパー１２Ｃを構成してもよい。この場合、レバー３４は、通常、一端部が溝１１内に位置するように（すなわち、前進位置に位置するように）板バネ３３に付勢される。
【００６８】
前記構成によれば、装置本体１にカッター台１０を取り付けるためにカム部２６を受け部９の溝１１に沿って移動させると、カム部２６がストッパー１２Ｃの一端部を溝１１の外側に移動させる。これにより、レバー３４が中間部を軸に回転し、レバー３４の他端部が溝部１１の内側で且つカム部２６の後方に位置することができる。この状態で、装置本体１からカッター台１０を取り外すためにカム部２６を受け部９の溝１１に沿って逆方向に移動させると、カム部２６が、レバー３４の他端部を溝１１の外側に移動させる。これにより、レバー３４が中間部を軸に回転し、レバー３４の一端部が溝部１１の内側で且つカム部２６の前方に位置することができる。すなわち、前記構成によれば、カッター台１０を装置本体１に着脱するときに、必ずレバー３４を回転させることができるので、ジュースなどの付着によりレバー３４が固着してストッパーとして機能しないようなことを防ぐことができる。
【００６９】
また、前記構成によれば、レバー３４として剛性の高い部材を用いることができるので、確実なストッパー機能（すなわち、安全機能）を発揮させることができる。
【００７０】
また、前記では、ストッパー１２を、溝１１の内側の前進位置と溝１１の外側の後退位置との間で進退移動することができるように構成したが、本発明はこれに限定されない。ストッパー１２は、上下動部材２３の移動を許容又は阻止するものであるので、上下動部材２３の移動経路内の前進位置と上下動部材２３の移動経路外の後退位置との間で進退移動することができるように構成されていればよい。
【００７１】
《第２実施形態》
図１８Ａ〜図１９Ｂを用いて、本発明の第２実施形態にかかる回転調理装置の構成を説明する。本第２実施形態にかかる回転調理装置が、前記第１実施形態にかかる回転調理装置と異なる点は、操作部５がロータリースイッチ３３で構成され、当該ロータリースイッチ３３がＯＮのとき、カッター台１０の着脱を阻止するように構成されている点である。図１８Ａは、ロータリースイッチ３３がＯＦＦの状態における、本発明の第２実施形態にかかる回転調理装置の全体構成を示す概念図である。図１８Ｂは、図１８Ａの回転調理装置におけるカム部３４と第１ロッド３５の位置関係を示す平面図である。図１９Ａは、ロータリースイッチ３３がＯＮの状態における、本発明の第２実施形態にかかる回転調理装置の全体構成を示す概念図である。図１９Ｂは、図１９Ａの回転調理装置におけるカム部３４と第１ロッド３５の位置関係を示す平面図である。
【００７２】
図１８Ａ及び図１８Ｂにおいて、本第２実施形態にかかる回転調理装置は、回転つまみ３３ａを有するロータリースイッチ３３を備えている。回転つまみ３３ａが回転されることにより、少なくともモータ２の駆動開始（ＯＮ）又は駆動停止（ＯＦＦ）を切り換えることができる。
【００７３】
ロータリースイッチ３３の回転軸３３ｂの周囲には、カム３４が固定されている。カム３４は、図１８Ｂ及び図１９Ｂに示すように、外周部の一部に凹部３４ａが設けられた略円形の部材である。カム３４の外周部には、第１ロッド３５が当接している。第１ロッド３５は、カム３４と第１ロッド３５との当接状態が維持されるように、弾性部材の一例であるスプリング３５ａによりカム３４の外周部に対して付勢されている。ロータリースイッチ３３の回転動作によってカム３４が回転したとき、カム３４に凹部３４ａが設けられているために、第１ロッド３５は第１軸方向の一例である横方向に移動する。
【００７４】
第１ロッド３５の中間部には、上方向に突出する分岐部３５ｂが形成されている。分岐部３５ｂの上端部には、上下方向及び横方向に対して交差するように傾斜する傾斜面３５ｃが形成されている。
【００７５】
分岐部３５ｂの上方には、第２ロッド３６が上下動可能に設けられている。第２ロッド３６は、２本のロッドの端部同士を弾性部材の一例であるスプリング３６ａにより連結した構造を有している。第２ロッド３６の下端部３６ｂには、第１ロッド３５の傾斜面３５ｃに沿うように傾斜する傾斜面３６ｃが形成されている。第１ロッド３５の傾斜面３５ｃに沿って第２ロッド３６の傾斜面３６ｃが移動することにより、第２ロッド３６が第２軸方向の一例である上下方向に移動する。すなわち、ロータリースイッチ３３がＯＦＦからＯＮに切り換えられたとき、図１８Ａに示すように第２ロッド３６は上昇する。また、ロータリースイッチ３３がＯＮからＯＦＦに切り換えられたとき、図１９Ａに示すように第２ロッド３６は下降する。
【００７６】
第２ロッド３６の上端部３６ｄは、受け部９に設けられた貫通穴９ｂを通過可能に構成されている。第２ロッド３６の上端部３６ｄは、第２ロッド３６が上昇することにより受け部９の溝１１内に前進し、第２ロッド３６が下降することにより受け部９の溝１１外に後退する。すなわち、第２ロッド３６の上端部３６ｄは、ロータリースイッチ３３がＯＮのとき、受け部９の溝１１内に前進し、ロータリースイッチ３３がＯＦＦのとき、受け部９の溝１１外に後退する。第２ロッド３６の上端部３６ｄは、容器部材１９が螺着されたカッター台１０を装置本体１に取り付けた状態でロータリースイッチ３３をＯＮにしたとき、受け部９の溝１１内に前進して互いに隣接するカム部２６，２６間に位置するように設けられている。
【００７７】
ここで、カッター台１０は、前述したように装置本体１にバヨネット結合させることにより取り付けることができる。この際、カッター台１０を回転させる動作（回し動作ともいう）が必要である。しかしながら、第２ロッド３６の上端部３６ｄが受け部９の溝１１内に前進した状態では、カッター台１０を回転させることができないので、装置本体１にカッター台１０を取り付けることができない。一方、容器部材１９が螺着されたカッター台１０を装置本体１に取り付けた状態でロータリースイッチ３３をＯＮにすると、第２ロッド３６の上端部３６ｄは、互いに隣接するカム部２６，２６間に位置するように受け部９の溝１１内に前進する。この状態でカッター台１０を回そうとすると、第２ロッド３６の上端部３６ｄがカム部２６に当接してカッター台１０の回転を阻止する。従って、装置本体１からカッター台１０を取り外すことができない。
【００７８】
すなわち、前記のように構成することにより、ロータリースイッチ３３がＯＮのとき、カッター台１０の着脱を阻止することができる。一方、第２ロッド３６の上端部３６ｄが受け部９の溝１１外に後退した状態では、カッター台１０の回し動作が許容されるので、カッター台１０の着脱が許容される。
【００７９】
なお、本第２実施形態においては、カム部３４、第１ロッド３５、及び第２ロッド３６により、カッター台１０の着脱を阻止するカッター台着脱阻止部３７が構成されている。また、ここでは、第２ロッド３６の上端部３６ｄが受け部９の溝１１内に前進した位置を着脱阻止位置（図１９Ａに示す位置）といい、第２ロッド３６の上端部３６ｄが受け部９の溝１１外に後退した位置を着脱許容位置（図１８Ａに示す位置）という。
【００８０】
なお、ここでは、第２ロッド３６が溝１１の内側の着脱阻止位置と溝１１の外側の着脱許容位置との間で進退移動することができるように、カッター台着脱阻止部３７を構成したが、本発明はこれに限定されない。カッター台着脱阻止部３７は、カッター台１０の着脱を許容又は阻止するものであるので、カッター台１０の移動経路内の着脱阻止位置と上下動部材２３の移動経路外の着脱許容位置との間で進退移動することができるように構成されていればよい。
【００８１】
次に、前記構成を有する本第２実施形態にかかる回転調理装置の作用効果について説明する。
【００８２】
ロータリースイッチ３３は、一般に、回転つまみ３３ａを回転させない限り、ＯＮ又はＯＦＦの状態を維持するものである。このため、例えば、カッター台１０及び容器部材１９を装置本体１から取り外した状態で、ロータリースイッチ３３がＯＮである場合がある。この状態で装置本体１にカッター台１０を取り付けると、カッター１５が不用意に回転してしまうことがあり得る。すなわち、手で上下動部材２３を押し下げるなどして上下動部材２３を下降させた状態で装置本体１にカッター台１０を取り付けると、前記下降した上下動部材２３に上下動ピン７が押し下げられて安全スイッチ６がＯＮし、カッター１５が回転することになる。
【００８３】
一方、容器部材１９が螺着されたカッター台１０を装置本体１に取り付けた状態でロータリースイッチ３３をＯＮにすると、モータ２の駆動力が駆動側コネクタ４及び従動側コネクタ１４を介してカッター１５の回転軸１３に伝達され、カッター１５は回転する。この状態で、ロータリースイッチ３３をＯＦＦにすることなく、容器部材１９が螺着されたカッター台１０を装置本体１から取り外すと、その取り外し動作の直後はカッター１５の回転が停止していないので、駆動側コネクタ４及び従動側コネクタ１４が摩耗若しくは破損するおそれがある。
【００８４】
これに対して、本第２実施形態では、ロータリースイッチ３３がＯＮのとき、カッター台１０の着脱を阻止するようにしているので、前述の課題を無くすことができる。従って、より高い安全性を確保することができる。
【００８５】
なお、前記では、ロータリースイッチ３３の回転動作（ＯＮ／ＯＦＦの切り換え動作）に機械的に連動して、容器部材１９の着脱を阻止するようにしたが、本発明はこれに限定されない。例えば、ロータリースイッチ３３に代えて押しボタン式のスイッチを用い、当該スイッチを押す動作に機械的に連動してカッター台１０の着脱を阻止するように構成してもよい。
【００８６】
なお、上記様々な実施形態のうちの任意の実施形態を適宜組み合わせることにより、それぞれの有する効果を奏するようにすることができる。
【産業上の利用可能性】
【００８７】
本発明にかかる回転調理装置は、外部に露出したカッターの不用意な回転を防止して、より高い安全性を確保することができるので、ブレンダー若しくはミルなどの各種回転調理装置に有用である。【００８８】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。【００８９】
２００９年９月２８日に出願された日本国特許出願Ｎｏ．２００９−２２２２３０号の明細書、図面、および特許請求の範囲の開示内容は、全体として参照されて本明細書の中に取り入れられるものである。
【図１】
0005437385.tif 000002
【図２】
0005437385.tif 000003
【図３】
0005437385.tif 000004
【図４】
0005437385.tif 000005
【図５】
0005437385.tif 000006
【図６】
0005437385.tif 000007
【図７Ａ】
0005437385.tif 000008
【図７Ｂ】
0005437385.tif 000009
【図７Ｃ】
0005437385.tif 000010
【図８Ａ】
0005437385.tif 000011
【図８Ｂ】
0005437385.tif 000012
【図９Ａ】
0005437385.tif 000013
【図９Ｂ】
0005437385.tif 000014
【図１０Ａ】
0005437385.tif 000015
【図１０Ｂ】
0005437385.tif 000016
【図１１Ａ】
0005437385.tif 000017
【図１１Ｂ】
0005437385.tif 000018
【図１２Ａ】
0005437385.tif 000019
【図１２Ｂ】
0005437385.tif 000020
【図１２Ｃ】
0005437385.tif 000021
【図１３Ａ】
0005437385.tif 000022
【図１３Ｂ】
0005437385.tif 000023
【図１４Ａ】
0005437385.tif 000024
【図１４Ｂ】
0005437385.tif 000025
【図１５】
0005437385.tif 000026
【図１６】
0005437385.tif 000027
【図１７】
0005437385.tif 000028
【図１８Ａ】
0005437385.tif 000029
【図１８Ｂ】
0005437385.tif 000030
【図１９Ａ】
0005437385.tif 000031
【図１９Ｂ】
0005437385.tif 000032